(57)【要約】【課題】操作者が手動にて操作するツマミに良好な操作感触を永続的に付与可能なジョイスティック型スイッチ装置を提供する。【解決手段】下ケース１１に形成された固定軸１１ａに、傾動検知スイッチを操作するための第２傾動部材１９を傾動自在に保持する。第２傾動部材１９の上部に、傾動軸１９によって摺動される第１スライダ２３と、当該第１スライダ２３の下面に当接される駆動棒２７と、当該駆動棒２７を常時第１スライダ２３側に付勢するスプリング２８とからなる傾動用節度部材を配置する。第１スライダ２３の下面には、花弁状の操作感触付与部５２が形成されており、第２傾動部材１９の傾動に伴って第１スライダ２３を摺動し、操作感触付与部５２を構成する各凹部５２ａ，５２ｂと駆動棒２５との係合位置を変化させる。【選択図】図２
2005122289.tif 000002
【特許請求の範囲】
【請求項１】
ケースと、
当該ケース内に配置された傾動検知手段と、
前記ケース上に傾動可能に保持され傾動操作される傾動軸及び前記傾動検知手段のそれぞれを駆動するように前記傾動軸に連結された駆動片を有する傾動部材と、
前記傾動軸と共動する傾動操作ツマミとを備え、
前記傾動部材の前記傾動軸と共動するよう前記傾動軸の周囲に設けられ、前記傾動軸の傾動操作に所要の操作感触を付与する傾動用節度手段と
を備えたことを特徴とするジョイスティック型スイッチ装置。
【請求項２】
前記傾動用節度手段が、
前記傾動軸の貫通孔を有し、前記ケースに固定された円筒状の傾動軸ホルダと、
前記傾動軸の貫通孔を有し、前記傾動軸ホルダの上部に所要の間隔を隔てて取り付けられた円筒状のスライダホルダと、
前記傾動軸ホルダの天板と前記スライダホルダの天板との間に形成される空間内に配置され、前記傾動軸の傾動にしたがって前記空間内で摺動されるスライダと、
前記スライダの下面に形成された操作感触付与部と、
前記傾動軸ホルダの天板に出入可能に備えられ、前記操作感触付与部に先端が当接される駆動棒と、
当該駆動棒を常時前記スライダ側に付勢するスプリングと
からなることを特徴とする請求項１に記載のジョイスティック型スイッチ装置。
【請求項３】
前記スライダが、
下面に前記操作感触付与部が形成され、前記傾動軸によって前記傾動軸の傾動方向に摺動される第１スライダと、
当該第１スライダと摺動可能に噛み合わされ、前記傾動軸の傾動方向に関わりなく一方向にのみ摺動される第２スライダと
からなることを特徴とする請求項２に記載のジョイスティック型スイッチ装置。
【請求項４】
前記傾動用節度手段の外周に配置された回転体と、
当該回転体の上端部に取り付けられた回動ツマミと、
当該回動ツマミの回動操作に所要の操作感触を付与する回動用節度手段と、
前記回転体の回動状態を検知する検知手段と
を備えたことを特徴とする請求項１に記載のジョイスティック型スイッチ装置。
【請求項５】
前記回動用節度手段が、
前記回転体の下面において前記回転体の回転中心を中心とする円周上に形成された操作感触付与部と、
前記ケースに出入可能に備えられ、前記操作感触付与部に当接されるボールと、
当該ボールを常時前記回転体側に付勢するスプリングと
からなることを特徴とする請求項４に記載のジョイスティック型スイッチ装置。
【請求項６】
前記検知手段が、
前記回転体の回転中心を中心とする円周上に櫛歯状に形成された遮光板と、
前記遮光板の移動経路を介してその内周側及び外周側に対向に配置された発光素子及び受光素子と
からなることを特徴とする請求項４に記載のジョイスティック型スイッチ装置。
【発明の詳細な説明】
【技術分野】
【０００１】
本発明は、例えば車載電気機器等のコントローラとして利用されるジョイスティック型スイッチ装置に係り、特に、操作ツマミの操作に所要の操作感触を付与する操作感触付与手段に関する。
【背景技術】
【０００２】
従来より、例えば車載オーディオ機器や車載エアコンのコントローラとして、傾動操作ツマミ兼押釦と、回動ツマミと、傾動操作ツマミ兼押釦を操作することによって切り換えられるスイッチと、回動ツマミを操作することによって切り換えられるスイッチとを備えたジョイスティック型スイッチ装置が知られている。
【０００３】
図８は従来より知られているこの種のジョイスティック型スイッチ装置の一例を示す断面図であって、上ケース１０１ａと下ケース１０１ｂとからなるケース１０１と、ケース１０１内に収納保持された配線基板１０２と、配線基板１０２上に被着されたドーム１０３ａ付きの可撓性シート１０３と、配線基板１０２の表面に形成された固定接点（図示省略）とドーム１０３ａの天井面に取り付けられた導電体（図示省略）とからなる傾動用、押釦用及び回転操作用の各シート状スイッチ１０４，１０５，１０６と、上ケース１０１ａに傾動自在に支持され、下端部が傾動用シート状スイッチ１０４と対向に配置されたＸ−Ｙ操作子１０７と、Ｘ−Ｙ操作子１０７に摺動自在に保持され、下端部が押釦用シート状スイッチ１０５と対向に配置された傾動操作軸兼摺動操作軸１０８と、傾動操作軸兼摺動操作軸１０８の上端部と一体に形成された傾動操作ツマミ兼押釦１０９と、上ケース１０１ａと傾動操作軸兼摺動操作軸１０８との間に張設されたスプリング１１０と、上ケース１０１ａに回動自在に支持された回動ツマミ１１１と、回動ツマミ１１１に連結され、回転用シート状スイッチ１０６と対向に配置された回動操作子１１２とから主に構成されている（例えば、特許文献１参照。）。
【０００４】
上記従来例に係るジョイスティック型スイッチ装置は、傾動操作軸兼摺動操作軸１０８に横方向の力を加えると、傾動操作軸兼摺動操作軸１０８とＸ−Ｙ操作子１０７とがスプリング１１０の弾性力に抗して力の方向に傾動され、Ｘ−Ｙ操作子１０７の先端部にて力の方向に応じた所要のドーム１０３ａが選択的に圧縮されて、傾動用シート状スイッチ１０４の１つ又は２つが選択的に導通状態に切り換えられる。また、傾動操作軸兼摺動操作軸１０８に軸方向の力を加えると、傾動操作軸兼摺動操作軸１０８がスプリング１１０の弾性力に抗してＸ−Ｙ操作子１０７内を摺動し、傾動操作軸兼摺動操作軸１０８の先端部にてドーム１０３ａの他の１つが圧縮されて、押釦用シート状スイッチ１０５が選択的に導通状態に切り換えられる。さらに、回動ツマミ１１１に回転方向の力を加えると、回動ツマミ１１１と回動操作子１１２とが力の方向に回動され、回動方向に配置された所要のドーム１０３ａの側方に回動操作子１１２に形成された操作片１１２ａが当接して当該所要のドーム１０３ａが傾倒されて、回転操作用シート状スイッチ１０６が選択的に導通状態に切り換えられる。
【０００５】
したがって、傾動用シート状スイッチ１０４の１つ又は２つから発信される接点信号、押釦用シート状スイッチ１０５から発信される接点信号、及び回転操作用シート状スイッチ１０６から発信される接点信号を利用して、機器の制御を行うことができる。
【特許文献１】実開平７−３０４３１号公報
【発明の開示】
【発明が解決しようとする課題】
【０００６】
ところで、車載電気機器のコントローラとしてこの種のジョイスティック型スイッチ装置を備えた場合、運転者は自動車の運転中に視線を前方から逸らすことなくブラインドタッチにて傾動操作ツマミ１０９や回動ツマミ１１１を操作しなくてはならないので、誤操作を防止し、各種の制御を容易に行えるようにするため、傾動操作ツマミ１０９や回動ツマミ１１１の操作感触を良好なものにすることが特に強く求められる。
【０００７】
しかしながら、節度付与手段としての可撓性シート１０３は、傾動操作軸兼摺動操作軸１０８の先端側に配置されるものであるので、必然的に傾動操作ツマミ１０９からドーム１０３ａまでの距離が長くなり、傾動操作軸１０８やＸ−Ｙ操作子１０７の弾性変形の影響によりドーム１０３ａが圧縮又は傾倒されるときに発生するクリック感触が傾動操作ツマミ１０９に伝わりにくく、キレの良い良好な操作感触を得ることが難しいという問題があった。
【０００８】
本発明は、かかる従来技術の不備を解決するためになされたものであって、その目的は、操作者が手動にて操作する傾動操作ツマミに良好な操作感触を付与可能なジョイスティック型スイッチ装置を提供することにある。
【課題を解決するための手段】
【０００９】
本発明は、前記課題を解決するため、ケースと、当該ケース内に配置された傾動検知手段と、前記ケース上に傾動可能に保持され傾動操作される傾動軸及び前記傾動検知手段のそれぞれを駆動するように前記傾動軸に連結された駆動片を有する傾動部材と、前記傾動軸と共動する傾動操作ツマミとを備え、前記傾動部材の前記傾動軸と共動するよう前記傾動軸の周囲に設けられ、前記傾動軸の傾動操作に所要の操作感触を付与する傾動用節度手段とを備えるという構成にした。
【００１０】
このように、傾動軸の傾動操作にクリック感触などの操作感触を付与する傾動用節度手段を傾動部材の周囲に備えると、傾動用節度手段から傾動操作ツマミまでの距離が短くなり、傾動部材の弾性変形の影響をほとんど受けることなく傾動用節度手段にて発生した操作感触を傾動操作ツマミに直接的に伝達することができ、傾動操作ツマミ兼押釦の傾動方向の操作感触を良好なものにすることができる。よって、車載電気機器のコントローラとして上記のジョイスティック型スイッチ装置を備えた場合、ブラインドタッチにて各種車載電気機器の各種制御を容易かつ確実に行うことが可能になり、ジョイスティック型スイッチ装置の操作性を高めることができる。
【００１１】
また、本発明は、前記構成のジョイスティック型スイッチ装置において、前記傾動用節度手段が、前記傾動軸の貫通孔を有し、前記ケースに固定された円筒状の傾動軸ホルダと、前記傾動軸の貫通孔を有し、前記傾動軸ホルダの上部に所要の間隔を隔てて取り付けられた円筒状のスライダホルダと、前記傾動軸ホルダの天板と前記スライダホルダの天板との間に形成される空間内に配置され、前記傾動軸の傾動にしたがって前記空間内で摺動されるスライダと、前記スライダの下面に形成された操作感触付与部と、前記傾動軸ホルダの天板に出入可能に備えられ、前記操作感触付与部に先端が当接される駆動棒と、当該駆動棒を常時前記スライダ側に付勢するスプリングとからなるという構成にした。
【００１２】
このように、傾動軸の傾動操作にクリック感触などの操作感触を付与する傾動用節度手段を、操作感触付与部を有するスライダと、操作感触付与部に先端が当接される駆動棒と、当該駆動棒を常時スライダ側に付勢するスプリングとを含んで構成すると、操作感触付与部と駆動棒との当接状態の変化という機械的な操作感触を傾動操作ツマミに付与することができるので、可撓性シートの弾性変形では得られないキレの良い操作感触を得ることができ、ジョイスティック型スイッチ装置の操作性を高めることができる。また、可撓性シートのように経時的な劣化も生じにくいので、良好な操作感触を長期間持続することができる。
【００１３】
また、本発明は、前記構成のジョイスティック型スイッチ装置において、前記スライダが、下面に前記操作感触付与部が形成され、前記傾動軸によって前記傾動軸の傾動方向に摺動される第１スライダと、当該第１スライダと摺動可能に噛み合わされ、前記傾動軸の傾動方向に関わりなく一方向にのみ摺動される第２スライダとからなるという構成にした。
【００１４】
このように、スライダを傾動軸によって摺動される第１スライダと傾動軸の傾動方向に関わりなく一方向にのみ摺動される第２スライダとの組合せをもって構成すると、傾動軸の旋回に伴う第１スライダの回転を第２スライダによって防止することができるので、常に第１スライダの下面に形成された操作感触付与部を傾動軸の傾動方向に平行移動させることができ、傾動操作ツマミに操作感触付与部と駆動棒との当接状態の変化に伴う所定の操作感触を安定に付与することができる。
【００１５】
また、本発明は、前記構成のジョイスティック型スイッチ装置において、前記傾動用節度手段の外周に配置された回転体と、当該回転体の上端部に取り付けられた回動ツマミと、当該回動ツマミの回動操作に所要の操作感触を付与する回動用節度手段と、前記回転体の回動状態を検知する検知手段とを備えるという構成にした。
【００１６】
このように、傾動用節度手段の外周に、回動ツマミによって回動操作され、回動用節度手段によって所要の操作感触が付与されると共に検知手段によって回転状態を検知可能な回転体を配置すると、傾動操作ツマミを操作することによって傾動検知スイッチから出力されるスイッチ信号と検知手段から出力される検知信号との双方に基づいて車載電気機器等の制御を行うことができるので、ジョイスティック型スイッチ装置の高性能化を図ることができる。
【００１７】
また、本発明は、前記構成のジョイスティック型スイッチ装置において、前記回動用節度手段が、前記回転体の下面において前記回転体の回転中心を中心とする円周上に形成された操作感触付与部と、前記ケースに出入可能に備えられ、前記操作感触付与部に当接されるボールと、当該ボールを常時前記回転体側に付勢するスプリングとからなるという構成にした。
【００１８】
このように、回転体の回動操作にクリック感触などの操作感触を付与する回動用節度手段を、回転体の下面に形成された操作感触付与部と、操作感触付与部に当接されるボールと、当該ボールを常時回転体側に付勢するスプリングとを含んで構成すると、操作感触付与部とボールとの当接状態の変化という機械的な操作感触を回動ツマミ兼押釦に付与することができるので、キレの良い操作感触を得ることができてジョイスティック型スイッチ装置の操作性を高めることができると共に、良好な操作感触を長期間持続することができる。
【００１９】
また、本発明は、前記構成のジョイスティック型スイッチ装置において、前記検知手段が、前記回転体の回転中心を中心とする円周上に櫛歯状に形成された遮光板と、前記遮光板の移動経路を介してその内周側及び外周側に対向に配置された発光素子及び受光素子とからなるという構成にした。
【００２０】
このように、回転体の回動状態を検知する検知手段を、回転体に形成された遮光板と当該遮光板によって光路が断続される発光素子及び受光素子とから構成すると、磁気検出素子や光反射型の検知手段を用いる場合に比べて回転体の構成を簡略化することができるので、ジョイスティック型スイッチ装置の低コスト化を図ることができる。
【発明の効果】
【００２１】
本発明のジョイスティック型スイッチ装置は、傾動部材の傾動操作にクリック感触などの操作感触を付与する傾動用節度手段を傾動部材の周囲に備えたので、傾動用節度手段から傾動操作ツマミまでの距離を短くすることができ、傾動用節度手段にて発生した操作感触を傾動操作ツマミに直接的に伝達することができて、傾動操作ツマミの傾動方向の操作感触を良好なものにすることができる。よって、車載電気機器のコントローラとして本発明のジョイスティック型スイッチ装置を備えた場合、ブラインドタッチにて各種車載電気機器の各種制御を容易かつ確実に行うことが可能になり、ジョイスティック型スイッチ装置の操作性を高めることができる。
【発明を実施するための最良の形態】
【００２２】
以下、本発明に係るジョイスティック型スイッチ装置の最良の実施形態を、図１乃至図７に基づいて説明する。図１は実施形態例に係るジョイスティック型スイッチ装置の分解斜視図、図２は実施形態例に係るジョイスティック型スイッチ装置の非操作時の断面図、図３は実施形態例に係るジョイスティック型スイッチ装置の傾動操作時の断面図、図４は第１スライダの下面図、図５は第２スライダの下面図、図６は回転体の下面図、図７は遮光板に対するフォトインタラプタの配設状態を示す要部断面図である。
【００２３】
図１に示すように、本例のジョイスティック型スイッチ装置は、傾動操作ツマミ１と、発光ダイオードなどの照光体５ａが実装される第１配線基板５と、第１配線基板５を保持する止め板６と、止め板６の下面に垂設された第１傾動軸７と、第１配線基板５、止め板６及び押動軸７を保持するツマミホルダ８と、止め板６をツマミホルダ８に締結するねじ９と、ツマミホルダ８にスナップ結合され、第１配線基板５に実装された照光体５ａの周囲を覆う照光体カバー１０と、中空の固定軸１１ａを有する下ケース１１と、下ケース１１の下面に被着されるカバー１２と、下ケース１１とカバー１２とによって構成される空間内に収納される第２配線基板１３と、下ケース１１とカバー１２と第２配線基板１３とを一体に締結するねじ１４と、４個の傾動検知スイッチ用のゴム接点１６と、ゴム接点１６に下端が当接される４個の傾動検知スイッチ用の駆動棒１８と、中空の固定軸１１ａの上端にて傾動自在に支持される中空の第２傾動軸１９ｂを有する傾動部材１９と、第２傾動軸１９ｂの貫通孔２０ａを有し、下ケース１１に固定される円筒状の傾動軸ホルダ２０と、傾動軸ホルダ２０を下ケース１１に締結するねじ２１と、傾動軸１９の貫通孔２２ａを有し、傾動軸ホルダ２０の上部に所要の間隔を隔てて取り付けられる円筒状のスライダホルダ２２と、傾動軸ホルダ２０の天板とスライダホルダ２２の天板との間に形成される空間内に配置される第１スライダ２３及び第２スライダ２４と、傾動軸ホルダ２０に備えられ、第１スライダ２３の下面に当接される２個の駆動棒２５と、駆動棒２５を常時第１スライダ２３側に付勢する２個のスプリング２６と、傾動軸ホルダ２０及びスライダホルダ２２の外周に回動自在に配置される円筒状の回転体２７と、下ケース１１に備えられ、回転体２７の下面に当接される２個のボール２８と、ボール２８を常時回転体２７側に付勢する２個のスプリング２９と、検知手段である２個のフォトインタラプタ３０ａ，３０ｂが実装され、下ケース１１に設定される第３配線基板３０と、第３配線基板３０を下ケース１１に締結するねじ３１と、回転体２７を貫通し、下ケース１１の上面に被着される上ケース３２と、上ケース３２を下ケース１１に締結するねじ３３と、回転体２７の上端部にスナップ結合される回動ツマミ３４と、第１乃至第３の配線基板５，１３，３０に接続される第１乃至第３のハーネス３５，３６，３７とから構成されている。
【００２４】
前記の各部材のうち、止め板６、第１傾動軸７、ねじ９，１４，２１，３１，３３、傾動部材１９、スプリング２６，２９及びボール２８は金属材料をもって形成され、その他の部材は絶縁性の樹脂材料をもって形成される。
【００２５】
傾動操作ツマミ１は、半球状の一体部材からなる。この傾動操作ツマミ１は、ツマミホルダ８の外周にスナップ結合される。
【００２６】
第１配線基板５は止め板６にスナップ結合され、止め板６はねじ９によってツマミホルダ８に締結される。止め板６の下面に垂設された押動軸７は、ツマミホルダ８に開設された透孔を貫通してツマミホルダ８の下方に突出される。
【００２７】
照光体カバー１０は、透明材料又は半透明材料をもってドーム状に形成されており、傾動操作ツマミ１の表面に照光体５ａより放射された光を均一に照射する。この照光体カバー１０も、ツマミホルダ８にスナップ結合される。
【００２８】
第２配線基板１３の表面には、図示しない傾動検知スイッチ用の固定接点と必要な配線とが所要の配列にて形成されており、傾動検知スイッチ用の固定接点と対向に傾動検知スイッチ用のゴム接点１６が設定される。ドーム状に突出されたゴム接点１６の湾曲部の内面には、第２配線基板１３の表面に形成された各固定接点を電気的に導通させるための可動接点が形成されており、ゴム接点１６の湾曲部を弾性変形させ、固定接点と可動接点とを電気的に接続させることによって、所要のスイッチ信号を出力できるようになっている。図２乃至図４に示すように、傾動検知スイッチ用のゴム接点１６は、固定軸１１ａの軸心を中心とする円周上に等分に配置される。
【００２９】
傾動検知スイッチ用の４個の駆動棒１８は、それぞれ下ケース１１に上下動自在に設定され、その下端部が各ゴム接点１６の上面に当接される。
【００３０】
傾動部材１９は、下ケース１１の固定軸１１ａが挿入される大径部１９ａと、当該大径部１９ａの上端より上方に延出された小径の第２傾動軸１９ｂと、大径部１９ａの下端より放射状に延出された４本の操作片１９ｃとからなる。大径部１９ａの内径は、下ケース１１に形成された固定軸１１ａを緩やかに挿入可能な直径に形成されており、その上端部は、球面状に形成されている。一方、下ケース１１に形成された固定軸１１ａの上端部は、大径部１９ａの内面に形成された球面よりも小さい広がり角度であって略同径の球面状に形成されている。したがって、図２乃至図４に示すように、大径部１９ａ内に固定軸１１ａを挿入し、両球面を突き合わせることによって、傾動軸１９は固定軸１１ａに傾動自在に支持される。また、これらの図から明らかなように、操作片１９ｃの先端部が、駆動棒１８の上端部に当接される。
【００３１】
傾動軸ホルダ２０はねじ２１により下ケース１１の上面に締結され、スライダホルダ２２は傾動軸ホルダ２０の上部にスナップ結合される。これにより、傾動軸ホルダ２０の天板とスライダホルダ２２の天板との間には、第１スライダ２３及び第２スライダ２４を収納するための空間が形成される。
【００３２】
第１スライダ２３は、傾動部材１９の傾動操作又は旋回操作にしたがって傾動部材１９の傾動方向又は旋回方向に摺動され、傾動軸ホルダ２０に備えられた駆動棒２５及びスプリング２６と協働して傾動部材１９ひいては傾動操作ツマミ１の傾動操作に所要の操作感触を付与するものであり、第２スライダ２４は、傾動部材１９の傾動操作又は旋回操作に伴う第１スライダ２３の第２傾動部材１９回りの回転を防止するためのものである。
【００３３】
即ち、第１スライダ２３は第２傾動軸１９ｂの外面に摺接可能な中央透孔５１を有するリング状に形成されており、第２傾動軸１９ｂの外面に装着される。図４に示すように、第１スライダ２３の下面には、中央透孔５１を介して２つの凹状の操作感触付与部５２が対称に形成されており、これらの各操作感触付与部５２は、略円形の中央凹部５２ａと、当該中央凹部５２ａの周囲に等分に形成された８個の外周凹部５２ｂと、各凹部の境界部に形成された段部５２ｃとをもって花弁状に形成されている。傾動軸ホルダ２０の操作感触付与部５２と対向する部分には、駆動棒２５及びスプリング２６が、前記２つの中央凹部５２ａの設定間隔と等しい設定間隔で設定されている。したがって、図２に示す非操作時においては、各駆動棒２５の先端部が２つの中央凹部５２ａのそれぞれに当接され、傾動部材１９が安定に保持される。この状態から図３に示すように傾動部材１９を一方向に傾動操作するか、又は一方向に傾動操作された状態から旋回操作すると、それに伴って第１スライダ２３が傾動部材１９の傾動方向又は旋回方向に移動し、駆動棒２５が当接する凹部が１の凹部から他の凹部に変化するので、１の凹部と他の凹部との間の境界部に形成された段部５２ｃを駆動棒２５が乗り越えるときの感触が傾動部材１９を介して傾動操作ツマミ１に伝えられ、操作者に所要の操作感触を感得させることができる。また、この第１スライダ２３の上面には、図４に破線で示すように、２つの操作感触付与部５２の配列方向と直角に、第２スライダ２４と噛み合わされる２つの突条５３が一列に突設されている。
【００３４】
一方、第２スライダ２４は第２傾動軸１９ｂと摺接しない中央透孔５４を有するリング状に形成されており、第２傾動軸１９ｂの外周には配置されるものの、第２傾動軸１９ｂによっては直接的に操作されない構造になっている。図５に示すように、この第２スライダ２４の下面及び上面には、互いに直交する溝５５，５６が形成されており、第２スライダ２４の下面に形成された溝５５には第１スライダ２３の上面に形成された突条５３が噛み合わされ、上面に形成された溝５６にはスライダホルダ２２の天板に形成された突条５７（図２乃至図４参照）が噛み合わされる。
【００３５】
したがって、傾動部材１９が操作感触付与部５２の配列方向に傾動されたときには、第１スライダ２３と第２スライダ２４とが共に操作感触付与部５２の配列方向に移動され、傾動部材１９が操作感触付与部５２の配列方向と直交する方向に傾動されたときには、第１スライダ２３のみが操作感触付与部５２の配列方向と直交する方向に移動されるので、第１スライダ２３と第２スライダ２４とスライダホルダ２２との噛み合いが常時確保され、傾動部材１９の傾動操作又は旋回操作に伴う第１スライダ２３の第２傾動軸１９ｂ回りの回転が防止される。
【００３６】
このように、本実施形態例においては、第１スライダ２３、第１スライダ２３に形成された操作感触付与部５２、第２スライダ２４、駆動棒２５及びスプリング２６によって傾動用節度手段が構成されている。
【００３７】
回転体２７は、傾動軸ホルダ２０及びスライダホルダ２２よりも大径の筒状部６１と筒状部６１の下端部より直角に張り出されたコード板６２とから構成されており、筒状部６１の上端部に回動ツマミ３４がスナップ結合されている。図６に示すように、コード板６２の下面には、回転体２７の回転中心Ｏを中心とする円周上に多数の小突起６３を所定の間隔で配列してなる操作感触付与部６４が形成されており、コード板６２の外周部には、多数の遮光板６５が櫛歯状に起立されている。一方、下ケース１１の操作感触付与部６４と対向する部分には、ボール２８及びスプリング２９が、操作感触付与部６４の直径と等しい設定間隔で設定されている。したがって、図２に示す非操作状態から回転体２７をその回転中心Ｏの回りに回転すると、ボール２８が小突起６３を乗り越えるときの感触が筒状部６１を介して回動ツマミ３４に伝えられ、操作者に所要の操作感触を感得させることができる。
【００３８】
このように、本実施形態例においては、回転体２７、回転体２７に形成された操作感触付与部６４、ボール２８及びスプリング２９によって回動用節度手段が構成されている。
【００３９】
また、フォトインタラプタ３０ａ，３０ｂを構成する発光素子７１と受光素子７２とは、図７に示すように、遮光板６５の移動経路を介してその内周側及び外周側に対向に配置される。
【００４０】
上ケース３２は、回転体２７の外周を被覆する筒状部８１と下ケース１１の上面を被覆する面状部８２とから構成されており、ねじ３３にて下ケース１１に締結される。
【００４１】
以下、前記のように構成された実施形態例に係るジョイスティック型スイッチ装置の動作について説明する。
【００４２】
非操作時においては、図２に示すように、下ケース１１に対して傾動軸１９が垂直に起立されており、かつ、下ケース１１に対して傾動操作ツマミ１が最上部に位置されている。したがって、ゴム接点１６には傾動操作ツマミ１の操作に伴う押圧力が作用せず、傾動検知スイッチからはスイッチ信号が出力されない。また、回転体２７が回動されないので、フォトインタラプタ３０ａ，３０ｂからも回転検出信号が出力されない。
【００４３】
この状態から傾動操作ツマミ１を一方向に傾動すると、図３に示すように第２傾動軸１９ｂが傾動操作ツマミ１の傾動方向に傾動され、傾動部材１９の操作片１９ｃにより傾動部材１９の傾動方向に配置された１つ又は２つの駆動棒１８が押し込まれて、対応する傾動検知スイッチ用ゴム接点１６に押圧力が付与され、当該ゴム接点１６のうちの１つ又は２つが選択的に弾性変形される。これにより、第２配線基板１３に形成された固定接点と弾性変形された傾動検知スイッチ用ゴム接点１６に形成された可動接点とが電気的に導通し、これら１つ又は２つの傾動検知スイッチからスイッチ信号が出力される。また、傾動操作ツマミ１を一方向に傾動したとき、それに伴って第１スライダ２３が傾動部材１９の傾動方向に摺動されるので、駆動棒２５の先端部が第１スライダ２３の下面に形成された操作感触付与部５２の中央凹部５２ａから外周凹部５２ｂの１つに移動し、これらの各凹部５２ａ，５２ｂの境界部に形成された段部５２ｃを乗り越えるときの感触が傾動部材１９を介して傾動操作ツマミ兼押釦１に伝えられ、操作者は所要の操作感触を感得することができる。なお、傾動操作ツマミ１を一方向に傾動した状態から旋回した場合には、駆動棒２５の先端部が１の外周凹部５２ｂから他の外周凹部５２ｂに移動し、これら２つの外周凹部５２ｂの境界部に形成された段部５２ｃを乗り越えるときの感触が傾動部材１９を介して傾動操作ツマミ１に伝えられるので、操作者は傾動操作時と同様に、所要の操作感触を感得することができる。
【００４４】
非操作状態から回動ツマミ３４を回動すると、回転体２７が操作方向に回動され、フォトインタラプタ３０ａ，３０ｂを構成する発光素子７１と受光素子７２との間を櫛歯状に形成された遮光板６５が横断するので、受光素子７２の受光信号に基づく回転検出信号がフォトインタラプタ３０ａ，３０ｂから出力される。また、回動ツマミ３４を回動したとき、ボール２８が回転体２７の下面に形成された操作感触付与部６４の小突起６３を順次乗り越えるので、このときの感触が回転体２７を介して回動ツマミ３４に伝えられ、操作者は所要の操作感触を感得することができる。
【００４５】
実施形態例に係るジョイスティック型スイッチ装置は、傾動部材１９の傾動操作にクリック感触などの操作感触を付与する傾動用節度手段を第２傾動軸１９ｂの周囲、即ち、傾動部材１９の上部に備えたので、当該傾動用節度手段から傾動操作ツマミ１までの距離が短くなり、傾動部材１９の弾性変形の影響をほとんど受けることなく傾動用節度手段にて発生した操作感触を傾動操作ツマミ１に直接的に伝達することができて、傾動操作ツマミ１の傾動方向の操作感触を良好なものにすることができる。よって、車載電気機器のコントローラとして上記のジョイスティック型スイッチ装置を備えた場合、ブラインドタッチにて各種車載電気機器の各種制御を容易かつ確実に行うことが可能となり、ジョイスティック型スイッチ装置の操作性を高めることができる。
【００４６】
また、実施形態例に係るジョイスティック型スイッチ装置は、傾動部材１９の傾動操作にクリック感触などの操作感触を付与する傾動用節度手段を、第１スライダ２３の下面に形成された操作感触付与部５２と、操作感触付与部５２に先端が当接される駆動棒２５と、当該駆動棒２５を常時第１スライダ２３側に付勢するスプリング２６とを含んで構成したので、操作感触付与部５２と駆動棒２５との当接状態の変化という機械的な操作感触を傾動操作ツマミ１に付与することができ、ゴム接点１６の弾性変形だけでは得られないキレの良い操作感触を得ることができる。また、仮にゴム接点１６に経時的な劣化を生じた場合にも、良好な操作感触を長期間持続することができる。
【００４７】
また、実施形態例に係るジョイスティック型スイッチ装置は、スライダを傾動軸１９によって摺動される第１スライダ２３と傾動部材１９の傾動方向に関わりなく一方向にのみ摺動される第２スライダ２４との組合せをもって構成したので、傾動部材１９の旋回に伴う第１スライダ２３の回転を第２スライダ２４によって防止することができ、常に第１スライダ２３の下面に形成された操作感触付与部５２を傾動部材１９の傾動方向に平行移動させることができて、傾動操作ツマミ兼押釦１に操作感触付与部５２と駆動棒２５との当接状態の変化に伴う所定の操作感触を安定に付与することができる。
【００４８】
また、実施形態例に係るジョイスティック型スイッチ装置は、傾動用節度手段の外周に、回動ツマミ３４によって回動操作され、コード板６２に形成された操作感触付与部６４とボール２８とスプリング２９とからなる回動用節度手段によって所要の操作感触が付与されると共に、検知手段であるフォトインタラプタ３０ａ，３０ｂによって回転状態を検知可能な回転体２７を配置したので、傾動操作ツマミ兼押釦１を操作することによって押動検知スイッチ及び傾動検知スイッチから出力されるスイッチ信号とフォトインタラプタ３０ａ，３０ｂから出力される検知信号との双方に基づいて車載電気機器等の制御を行うことができ、ジョイスティック型スイッチ装置の高性能化を図ることができる。
【００４９】
また、実施形態例に係るジョイスティック型スイッチ装置は、回転体２７の回動操作にクリック感触などの操作感触を付与する回動用節度手段を、回転体２７の下面に形成された操作感触付与部６４と、操作感触付与部６４に先端が当接されるボール２８と、当該ボール２８を常時回転体２７側に付勢するスプリング２９とを含んで構成したので、操作感触付与部６４とボール２８との当接状態の変化という機械的な操作感触を回動ツマミ３４に付与することができ、キレの良い操作感触を得ることができてジョイスティック型スイッチ装置の操作性を高めることができると共に、良好な操作感触を長期間持続することができる。
【００５０】
また、実施形態例に係るジョイスティック型スイッチ装置は、回転体２７の回動状態を検知する検知手段を、回転体２７に形成された遮光板６５と当該遮光板６５によって光路が断続される発光素子７１及び受光素子７２とから構成したので、磁気検出素子や光反射型の検知手段を用いる場合に比べて回転体２７の構成を簡略化することができ、ジョイスティック型スイッチ装置の低コスト化を図ることができる。
【図面の簡単な説明】
【００５１】
【図１】実施形態例に係るジョイスティック型スイッチ装置の分解斜視図である。
【図２】実施形態例に係るジョイスティック型スイッチ装置の非操作時の断面図である。
【図３】実施形態例に係るジョイスティック型スイッチ装置の傾動操作時の断面図である。
【図４】第１スライダの下面図である。
【図５】第２スライダの下面図である。
【図６】回転体の下面図である。
【図７】遮光板に対するフォトインタラプタの配設状態を示す要部断面図である。
【図８】従来例に係るジョイスティック型スイッチ装置の断面図である。
【符号の説明】
【００５２】
１    傾動操作ツマミ
７    第１傾動軸
８    ツマミホルダ
１１    下ケース
１２    カバー
１５，１６    ゴム接点
１７，１８    駆動棒
１９    傾動部材
１９ｂ    第２傾動軸
２０    傾動軸ホルダ
２２    スライダホルダ
２３    第１スライダ
２４    第２スライダ
２７    回転体
３０ａ，３０ｂ    フォトインタラプタ
３２    上ケース
３４    回動ツマミ
５２    操作感触付与部（傾動用）
６４    操作感触付与部（回動用）
【図１】
2005122289.tif 000003
【図２】
2005122289.tif 000004
【図３】
2005122289.tif 000005
【図４】
2005122289.tif 000006
【図５】
2005122289.tif 000007
【図６】
2005122289.tif 000008
【図７】
2005122289.tif 000009
【図８】
2005122289.tif 000010